(57)【特許請求の範囲】
【請求項１】
別な材料で成形された内側層（１）と外側層（２）を径方向へ積層した可撓性積層ホースの製造方法であって、
前記内側層（１）を押出成形し、前記内側層（１）の内部に流体を充填することにより前記内側層（１）を円筒状に保持しながら、該内側層（１）の外周面（１ａ）が完全に硬化する前の時点で、凹凸形成手段として成形ローラー（Ｒ）を圧接させることにより、周方向及び軸方向へ延びて交差する凹部（３ａ）を周方向全体に亘って格子状に凹設し、その下流側において、前記内側層（１）の材質と接着し難い材料で成形された前記外側層（２）の材料を押出し供給することにより、前記内側層（１）の前記凹部（３ａ）に前記外側層（２）の材料が溶融状態又は半溶融状態のまま流れ込んで、該外側層（２）の内周面（２ａ）に前記凹部（３ａ）と嵌め合う凸部（３ｂ）を突設し、これら凹部（３ａ）と凸部（３ｂ）を周方向及び軸方向へ係合させることにより前記内側層（１）及び前記外側層（２）を一体化したことを特徴とする可撓性積層ホースの製造方法。
【請求項２】
前記外側層（２）の外周面（２ａ）に沿って膨張変形しない補強層（４）を形成した請求項１記載の可撓性積層ホースの製造方法。
【発明の詳細な説明】
【技術分野】
【０００１】
本発明は、主にホースの両端部を接続して固定配管される可撓性積層ホースの製造方法に関する。
詳しくは、別な材料で成形された内側層と外側層を径方向へ積層した可撓性積層ホースの製造方法に関する。
【背景技術】
【０００２】
従来、この種の可撓性積層ホースとして、鋼線入りの塩化ビニールで形成されたホース本体の両端に接続金具を嵌着することにより、室内の浴槽に取り付けられた湯水循環接続具と、屋外などに設置された給湯装置とを配管接続して、これら浴槽と給湯装置との間で湯水を強制循環させるものがある（例えば、特許文献１参照）。
【０００３】
【特許文献１】特開平１１−３３６９５５号公報（第２頁）
【発明の開示】
【発明が解決しようとする課題】
【０００４】
しかし乍ら、このような従来の可撓性積層ホースでは、引っ張りや曲げに対してはある程度の強度を有しているが、内部を流れる湯の温度に対する通常の耐熱温度は６５℃位が限界であり、これ以上の高温の湯を流すと極端に柔らかくなって、湯水循環接続具や給湯装置に接続してあるホース側の接続金具からホース本体の端部が外れてしまうといった懸念があった。
また、風呂を短時間で沸かすには、給湯装置の火力を強くして沸かすのが効果的であるが、上記のような従来の可撓性積層ホースでは、内部を通す湯の温度を６５℃までに制約されているため、火力の強い給湯装置を使用して湯温を６５℃以上の高温に設定して効率良く風呂を沸かすといったことは、ホースの性能からできなかった。
そこで、高温の湯と接触するホース本体の内面に、例えば架橋ポリエチレンなどのような耐熱性が高い材料からなる内側層を配置し、その外側に例えば軟質塩化ビニールなどのような可撓性に優れた材料からなる外側層を積層して一体化することにより、９０℃位までの高温の湯を流しても熱変形によってホース端部が接続金具から外れるなどの支障をきたすことがなく、しかも効率良く風呂を沸かせるようにすることが考えられる。
しかし、このものの場合には、内側層の架橋ポリエチレンと外側層の軟質塩化ビニールとが相溶性が悪くて接着し難い材質であるため、これら内側層と外側層の間を接着して一体化できず、そのために層間が位置ズレを起こして、配管作業に支障を起こす恐れがあるという問題があった。
【０００５】
本発明のうち請求項１記載の発明は、相溶性が悪くて接着し難い材料からなる層同士を一体的に積層した可撓性積層ホースを提供することを目的とし、さらに簡単な構造でありながら層間の捻れを確実に防止することを目的とし、さらに製造工程を簡素化することを目的としたものである。
請求項２記載の発明は、請求項１に記載の発明の目的に加えて、内圧上昇に伴う層間の位置ズレを防止しながら耐圧性を向上させることを目的としたものである。
【課題を解決するための手段】
【０００６】
前述した目的を達成するために、本発明のうち請求項１記載の発明は、別な材料で成形された内側層と外側層を径方向へ積層した可撓性積層ホースの製造方法であって、前記内側層を押出成形し、前記内側層の内部に流体を充填することにより前記内側層を円筒状に保持しながら、該内側層の外周面が完全に硬化する前の時点で、凹凸形成手段として成形ローラーを圧接させることにより、周方向及び軸方向へ延びて交差する凹部を周方向全体に亘って格子状に凹設し、その下流側において、前記内側層の材質と接着し難い材料で成形された前記外側層の材料を押出し供給することにより、前記内側層の前記凹部に前記外側層の材料が溶融状態又は半溶融状態のまま流れ込んで、該外側層の内周面に前記凹部と嵌め合う凸部を突設し、これら凹部と凸部を周方向及び軸方向へ係合させることにより前記内側層及び前記外側層を一体化したことを特徴とするものである。
請求項２記載の発明は、請求項１記載の発明の構成に、前記外側層の外周面に沿って膨張変形しない補強層を形成した構成を加えたことを特徴とする。
【発明の効果】
【０００７】
本発明のうち請求項１記載の発明は、内側層を押出成形し、その外周面に成形ローラーを圧接させて凹部を凹設し、その下流側に外側層の材料を押出し供給して積層することにより、前記内側層の前記凹部に前記外側層の材料が溶融状態又は半溶融状態のまま流れ込んで該凹部と嵌め合う凸部を突設し、これら凹部と凸部を周方向及び軸方向へ係合させることにより前記内側層及び前記外側層を一体化したので、これら内側層及び外側層が相溶性の悪い接着性に劣る材料同士であっても両者が位置ズレしない。
従って、相溶性が悪くて接着し難い材料からなる層同士を一体的に積層した可撓性積層ホースを提供することができる。
その結果、内側層と外側層の材料同士が相溶性が悪くて接着し難い場合でも、これらの層間に位置ズレが発生しないため、今まで困難であった材料の組み合わせが可能になり、相溶性を気にせず、用途や流体に合わせた材料を自由に組み合わせることができる。
それにより、内部を流れる湯の温度に対する通常の耐熱温度は６５℃位が限界の従来のものに比べ、配管作業を確実に行えると共に、例えば架橋ポリエチレンなどのような耐熱性が高い材料と例えば軟質塩化ビニールなどのような可撓性に優れた材料を一体的に積層できるから、耐熱性に優れてしかも接続作業がし易い可撓性積層ホースを提供できる。
さらに、内側層の外周面と外側層の内周面が周方向と軸方向へ夫々位置ズレしない。
従って、簡単な構造でありながら層間の捻れを確実に防止することができる。
さらに、製造工程を簡素化することができる。
その結果、製造コストを低減できる。
【００１１】
請求項２の発明は、請求項１の発明の効果に加えて、外側層の外周面に沿って膨張変形しない補強層を形成することにより、内側層を通る流体の内圧が上昇しても、外側層が膨張変形せず、凹凸部で内側層及び外側層が強く係合する。
従って、内圧上昇に伴う層間の位置ズレを防止しながら耐圧性を向上させることができる。
【発明を実施するための最良の形態】
【００１５】
本発明の可撓性積層ホースＡは、図１〜図５に示す如く、所定材料で管状に成形された内側層１と、その径方向外側に該内側層１の材質と接着し難い材料で管状に成形された外側層２とを積層し、これら内側層１の外周面１ａと外側層２の内周面２ａとの対向面に、互いに係合する凹凸部３を形成して、この凹凸部３の係合により内側層１及び外側層２を一体化したものである。
【００１６】
上記内側層１及び外側層２は、押出し成形機（図示せず）から加熱溶融された材料を溶融状態のまま円筒状に押出して管状に成形され、後述する凹凸形成手段により、凹凸部３の一方側と他方側を夫々の周方向全体に亘って形成するか、又は周方向一部のみに部分的に形成する。
【００１７】
上記凹凸部３は、内側層１の外周面１ａ及び外側層２の内周面２ａのどちらか一方に形成される凹部３ａと、他方に形成される凸部３ｂとからなり、これら凹部３ａと凸部３ｂを少なくとも内外層１，２の軸方向へ係合させる。
【００１８】
この凹凸部３を形成するための凹凸形成手段の一例としては、図１及び図２に示す如く、内側層１の外周面１ａ又は外側層２の内周面２ａに圧接する成形ローラーＲが挙げられる。
この成形ローラーＲは、上述した押出し成形機から押出成形される内側層１の外周面１ａ又は外側層２の内周面２ａと対向して回転自在に配設され、その対向する周面が凹部３ａ又は凸部３ｂを形成するための成形型Ｒ１となっている。
【００１９】
この凹凸部３の具体的な形成方法としては、上述の如く押出成形された内側層１の内部に、空気などの流体を充填して内圧を上昇させるか、又はその他の方法により該内側層１を円筒状に保持しながら、その外周面１ａが完全に硬化する前の時点で成形ローラーＲを圧接させることにより、所定形状の凹部３ａ又は凸部３ｂのどちらか一方が周方向全体か或いは周方向一部のみに形成され、その後工程で、押出し成形機から外側層２の材料を溶融状態まま押出すことにより、上記凹部３ａ又は凸部３ｂの一方に外側層２の材料が溶融状態又は半溶融状態のまま流れ込んで、その内周面２ａに凹部３ａ又は凸部３ｂの他方が成形されるようにしている。
【００２０】
上記凹凸部３の形状例としては、内側層１の外周面１ａに少なくとも径方向へ延びる環状の凹部３ａ又は凸部３ｂのどちらか一方を軸方向へ適宜間隔毎に複数配置し、これに対し他方を外側層２の内周面２ａに形成して、これら凹部３ａと凸部３ｂを軸方向へ係合させることにより、上記内側層１の外周面１ａと外側層２の内周面２ａとが軸方向へ位置ズレしない。
【００２１】
更に、それ以外の形状例としては、図示せる如く、内側層１の外周面１ａに周方向及び軸方向へ延びて交差する凹部３ａ又は凸部３ｂのどちらか一方を形成すると共に、他方を外側層２の内周面２ａに形成して、これら凹部３ａと凸部３ｂを周方向及び軸方向へ係合させることにより、上記内側層１の外周面１ａと外側層２の内周面２ａとが周方向と軸方向へ夫々位置ズレしないようにすることも可能である。
【００２２】
これら凹部３ａ及び凸部３ｂの方向は、図示例の場合、径方向や軸方向と平行な直線状又は格子状に配置しているが、それに限定されず、径方向や軸方向に対して傾斜させたり、直角以外に適宜角度で交差するように配置したり、直線状や格子状以外に曲線を使った形状（模様）にすることも可能である。
【００２３】
また、上記凹凸形成手段の他例としては、図４に示す如く、内側層１の外周面１ａ又は外側層２の内周面２ａに、軸方向へ延びる凸条３ｃを周方向へ適宜間隔毎に複数本夫々一体的に突設するか又は、軸方向へ延びる凸条３ｃを周方向へ一本だけ一体的に突設し、その下流側に配備された回転カッター（図示せず）などで、該凸条３ｃの一部を溶かしながら切欠することにより、軸方向へ分断された複数の凸部３ｂ′を形成するなど、凹凸部３の一方側を周方向全体又は周方向一部に形成する。
【００２４】
この凹凸部３の具体的な形成方法としては、内側層１の押出成形時において、その外周面１ａに軸方向へ分断された複数の凸部３ｂ′を形成した後に、押出し成形機から外側層２の材料を溶融状態又は半溶融状態のまま押出すことにより、上記凸部３ｂ′に外側層２の材料が溶融状態又は半溶融状態のまま流れ込んで、内周面２ａに凹部３ａ′が成形され、これら両者が係合して内側層１の外周面１ａと外側層２の内周面２ａとが周方向と軸方向へ夫々位置ズレしないようにしている。
なお、上記凸条３ｃ及び凸部３ｂ′の形状は、図示例以外でも良い。
【００２５】
そして、前記外側層２の外周面２ａには、必要に応じて、該外周面２ａに沿って膨張変形しない補強線材４ａからなる補強層４を形成し、その外側を最外層５で被覆することにより、外側層２の膨張変形を防止しながら、凹凸部３で内側層１及び外側層２を強く係合させて耐圧性の向上を図ることが好ましい。
この補強線材４ａとしては、例えばポリエステルやナイロンやアラミドなどの合成樹脂製補強糸又は補強繊維又はモノフィラメント（monofilament:単繊維）か、或いは例えばステンレスなどの金属製補強線を用い、前記外側層２の外周面２ａに沿って螺旋状又は網状に巻き付けることにより構成される。
【００２６】
なお、前記内側層１の内側には、特に耐熱性に優れた例えば架橋ポリエチレンなどからなる管状の最内層６を配置することも可能である。
【００２７】
また更に、上記凹凸形成手段の他例としては、図５に示す如く、内側層１の外周面１ａ又は外側層２の内周面２ａに沿って、例えばポリエステルやナイロンやアラミドなどの合成樹脂製補強糸又は補強繊維やモノフィラメント（monofilament:単繊維）か、或いは例えばステンレスなどの金属製補強線からなる線材７を巻き付ける巻き付け機（図示せず）が挙げられる。
この巻き付け機は、上述した押出し成形機から押出成形される内側層１の外周面１ａ又は外側層２の内周面２ａと対向して配設され、線材７をその一部が内側層１の外周面１ａ又は外側層２の内周面２ａから突出するように巻き付けることで添装すると共に、この突出した線材７同士の間に凹部３ａ″を凹設するようになっている。
【００２８】
この凹部３ａ″の具体的な形成方法としては、上述の如く押出成形した内側層１の外周面１ａが完全に硬化する前に線材７を巻き付けて、該線材７の内端部を内側層１の外周面１ａ内に埋め込んだ状態で硬化させることにより、その少なくとも外端部が内側層１の外周面１ａから突出するようにする方法と、もう一つは内側層１の外周面１ａに線材７を強く巻き付けて、該線材７の内端部を内側層１の外周面１ａに食い込ませることにより、その少なくとも外端部が内側層１の外周面１ａから突出するようにする方法とがある。
従って、線材７としては線径が太いものを使用することが好ましい。
以下、本発明の各実施例を図面に基づいて説明する。
【実施例１】
【００２９】
この実施例１は、図１及び図２に示す如く、本発明の可撓性積層ホースＡが追い焚きホースであり、耐熱性に優れた架橋ポリエチレンや低密度ポリエチレンなどで管状に成形された内側層１と、この架橋ポリエチレンや低密度ポリエチレンなどと相溶性が悪くて接着し難い軟質塩化ビニールなどで管状に成形された外側層２とを、その表面が硬化する前の内側層１の外周面１ａに形成される凹凸部３を介して一体的に積層したものである。
更に、この外側層２の外周面２ａに沿って膨張変形しない補強線材４ａからなる補強層４を形成し、この補強層４の外側に最外層５として軟質塩化ビニールなどからなる管体を積層することにより、耐圧性の向上させている。
【００３０】
上記追い焚きホースとは、例えば特開平１１−３３６９５５号公報に開示されるような、室内の浴槽（図示せず）に取り付けられた湯水循環接続具（図示せず）と、屋外などに設置された給湯装置（図示せず）とを配管接続して、これら浴槽と給湯装置との間で湯水を強制循環させる耐熱性に優れたホースである。
【００３１】
更に、図示例の場合には、上記凹凸部３として、水平方向へ定速送りされる内側層１の外周面１ａに対し、上下一対の成形ローラーＲを夫々圧接させることにより、径方向及び軸方向へ延びて交差する凹部３ａが、周方向全体に亘って格子状に凹設され、その後工程で、この格子状凹部３ａに外側層２の材料を溶融状態又は半溶融状態のまま流し込んで、該外側層２の内周面２ａに上記格子状凹部３ａと嵌め合う格子状凸部３ｂが突設される。
【００３２】
また、前記補強層４としては、例えばポリエステル繊維やナイロン繊維などの合成樹脂製繊維、又は例えばステンレス繊維などの金属製繊維、又はそれ以外の材質で形成した繊維を、上記外側層２の外周面２ａに沿って網状に巻き付けることにより構成される。
【００３３】
図示例では、上記補強線材４ａとして例えば１０００〜１５００デニールのポリエステル繊維を複数本夫々等間隔毎に螺旋状に巻き付けて網状にしているが、これに限定されず、網状に編み込まれた補強繊維や補強糸を外側層２の外周面２ａに沿って配置したり、金属鋼線や硬質樹脂線材か或いはモノフィラメントを螺旋状に巻き付けて一体化するなど、他の配置でも良い。
【００３４】
次に、斯かる可撓性積層ホースＡの作用効果について説明する。
内側層１の外周面１ａと外側層２の内周面２ａの対向面が、互いに係合する凹凸部３を介して一体化されるため、これら内側層１及び外側層２が相溶性の悪い接着性に劣る材料からなる管体同士であっても両者間に位置ズレが発生しない。
更に、内側層１の外周面１ａと外側層２の内周面２ａが周方向と軸方向へ係合して両方向へ夫々位置ズレしないため、使用中にホースＡに対して捻れ方向の力が作用しても中間層２と接着層４の間に捻れが発生しない。
【００３５】
それにより、相溶性が悪くて接着し難い材料からなる内側層１及び外側層２同士を一体的に積層でき、その結果、内側層１から外側層２及び補強層４を挟んで最外層５まで全体が一体的に積層された可撓性積層ホースＡを提供できる。
特に、ホースＡの両端部を夫々接続して固定配管される場合には、接続作業時以外はホースＡを屈曲変形させることがないため、使用上、大きな問題が発生する恐れがない。
【実施例２】
【００３６】
この実施例２は、図３に示す如く、前記内側層１の内側に、耐熱性に優れた架橋ポリエチレンからなる管状の最内層６を配置し、この最内層６と、架橋ポリエチレンと相溶性が良くて接着し易いポリエチレンからなる内側層１とを共押出して二重に成形すると共に、この内側層１の外側に、該ポリエチレンと相溶性が悪くて接着し難い軟質塩化ビニールからなる外側層２が凹凸部３を介して積層される構成が、前記図１及び図２に示した実施例１とは異なり、それ以外の構成は図１及び図２に示した実施例１と同じものである。
【００３７】
従って、図３に示す実施例２は、最内層６と内側層１を共押出して二重成形するため、最内層６から内側層１、外側層２及び補強層４を挟んで最外層５まで全てが一体化された可撓性積層ホースＡを提供できると共に、前記図１及び図２に示した実施例１よりも価格的に高い架橋ポリエチレンの量を減らすことができて製造コストの低減化が図れるという利点がある。
【実施例３】
【００３８】
この実施例３は、図４に示す如く、前記内側層１の外周面１ａに軸方向へ分断された複数の凸部３ｂ′を、周方向へ適宜間隔毎に複数本夫々一体的に突設し、その後工程で、この凸部３ｂ′の外側に外側層２の材料を溶融状態又は半溶融状態のまま押出し積層して、その内周面２ａに凹部３ａ′を凹設することにより、内側層１の外周面１ａと外側層２の内周面２ａとを周方向と軸方向へ夫々位置ズレしないようにした構成が、前記図１及び図２に示した実施例１とは異なり、それ以外の構成は図１及び図２に示した実施例１と同じものである。
【００３９】
図示例の場合には、上記内側層１の内側に、耐熱性に優れた架橋ポリエチレンや低密度ポリエチレンなどからなる最内層６を配置し、これら最内層６と、該架橋ポリエチレンや低密度ポリエチレンなどと相溶性が良い例えばサントプレーン（登録商標）などのオレフィン系熱可塑性エラストマーやダイナロン（登録商標）などのスチレン系熱可塑性エラストマーからなる内側層１とを共押出して二重に成形し、この内側層１の外側に、上記オレフィン系エラストマーやスチレン系エラストマーと相溶性が悪く接着し難い軟質塩化ビニールからなる外側層２が凹凸部３を介して積層されている。
【００４０】
従って、図４に示す実施例３も、上述した実施例１及び実施例２と同様な作用効果が得られ、更に加えて、凹凸部３の一方側である凸部３ｂ′を簡単な方法で確実に形成できるため、製造コストの低減化が図れるという利点がある。
【実施例４】
【００４１】
この実施例４は、図５に示す如く、本発明の可撓性積層ホースＡが例えば食品、飲料、医療機器、化学やその他の工業に用いられるシリコーン補強ホースであり、主成分がシリコーンゴムやシリコーン樹脂などで管状に成形された内側層１と、このシリコーンゴムやシリコーン樹脂などと相溶性が悪くて接着し難い軟質塩化ビニールなどで管状に成形された外側層２とを、内側層１の外周面１ａ沿いに線材７をその一部が突出するように添装することで形成される凹凸部３を介して一体的に積層される構成が、前記図１及び図２に示した実施例１、図３に示した実施例２、図４に示した実施例３とは異なり、それ以外の構成は図１及び図２に示した実施例１と同じものである。
【００４２】
上記線材７は、上述した押出し成形機から押出成形された直後の内側層１の外周面１ａに沿って、例えばポリエステルやナイロンやアラミドなどの合成樹脂製補強糸や補強繊維やモノフィラメント（monofilament:単繊維）などからなる線材７を、その外側部分が内側層１の外周面１ａから突出するように巻き付けることにより、該線材７の内側部分が埋め込まれ、この一部埋め込み状態のまま内側層１の外周面１ａを硬化させることで、この突出した線材７の外側部分同士の間に凹部３ａ″を凹設している。
【００４３】
図示例の場合には、複数本の線材７を夫々螺旋状に巻き付けて格子模様にし、これら線材７で囲まれた四角形又は菱形の部分を凹部３ａ″としている。
それ以外の例としては、図示せぬが例えば特開２００４−１９７７７４号公報に開示されるように複数本の線材７を筒状にニット編みしたり、一本の線材７をホースの軸方向へ所定ピッチで螺旋状に巻き付けたコイルなどであっても良いが、これら線材７の内側部分を内側層１の外周面１ａに埋め込んだまま硬化させて、突出した外側部分同士の間に凹部３ａ″を凹設することには変わりがない。
【００４４】
このような線材７で凹部３ａ″が凹設された後の工程で、この凹部３ａ″に外側層２の材料を溶融状態又は半溶融状態のまま流し込んで、該外側層２の内周面２ａに上記凹部３ａ″と嵌め合う凸部３ｂ″が突設されると共に、これら凹部３ａ″と凸部３ｂ″が係合して、上記内側層１の外周面１ａと外側層２の内周面２ａとが軸方向及び径方向へ位置ズレしない。
【００４５】
また、図示例以外に、上述した実施例１と同様に、外側層２の外周面２ａに沿って膨張変形しない補強線材４ａからなる補強層４を形成し、この補強層４の外側に最外層５として軟質塩化ビニールなどからなる管体を積層することにより耐圧性を向上させることも可能である。
【００４６】
従って、図５に示す実施例４は、上述した実施例１と同様な作用効果が得られ、更に加えて、内側層１の外周面１ａと一体化された線材７及びその突出部分で囲まれた凹部３ａ″と、外側層２の内周面２ａに形成された凸部３ｂ″とが係合するため、これら内側層１の外周面１ａと外側層２の内周面２ａとの位置ズレをより確実に防止できるという利点がある。
更に、その製造方法は、図１及び図２に示す実施例１で使った成形ローラーＲや図４に示す実施例３で使用したカッターなどが不要となり、押出し成形機や巻き付け機などの既設の製造装置を使うだけて実施できると共に、その実施方法も簡単であるから、製造コストの低減化が図れるという利点もある。
【００４７】
尚、前示実施例では、本発明の可撓性積層ホースＡが追い焚きホースやシリコーン補強ホースである場合を示したが、これに限定されず、追い焚きホースやシリコーン補強ホース以外のホースであっても、上述した作用効果と同様な作用効果が得られる。
更に、前示実施例１〜４では、先ず凹凸部３の一方側を内側層１の外周面１ａに形成し、その後に他方側を外側層２の外周面２ａに形成したが、これに限定されず、それと逆に凹凸部３の一方側を外側層２の外周面２ａに形成した後に、他方側を内側層１の外周面１ａに形成しても良い。
また、前記内側層１及び外側層２の材料は、上述したポリエチレンやオレフィン系エラストマーやスチレン系エラストマー又はシリコーンゴムやシリコーン樹脂と、塩化ビニール又は塩化ビニル樹脂に限定されず、相溶性が悪くて接着し難い材料であれば、他の材質であっても良い。
また更に、前示実施例１〜３では、外側層２の外周面２ａに沿って膨張変形しない補強線材４ａからなる補強層４を形成したが、これに限定されず、補強層４はなくても良く、なお内側層１と外側層２が凹凸部３を介して積層されれば、図示例以外にその内側及び外側に複数の層を積層しても良い。
【図面の簡単な説明】
【００４８】
【図１】本発明の可撓性積層ホースの実施例１を示す一部切欠斜視図である。
【図２】図１の（２）−（２）線に沿える縦断側面図である。
【図３】本発明の可撓性積層ホースの実施例２を示す一部切欠斜視図である。
【図４】本発明の可撓性積層ホースの実施例３を示す一部切欠斜視図である。
【図５】本発明の可撓性積層ホースの実施例４を示す一部切欠斜視図である。
【符号の説明】
【００４９】
Ａ  可撓性積層ホース                Ｒ  成形ローラー
Ｒ１  成形型                        １  内側層
１ａ  外周面                        ２  外側層
２ａ  内周面                        ３  凹凸部
３ａ，３ａ′，３ａ″  凹部          ３ｂ，３ｂ′，３ｂ″  凸部
３ｃ  凸条                          ４  補強層
４ａ  補強線材                      ５  最外層
６  最内層                          ７  線材
【図１】
0004639367.tif 000002
【図２】
0004639367.tif 000003
【図３】
0004639367.tif 000004
【図４】
0004639367.tif 000005
【図５】
0004639367.tif 000006